【手続補正書】
【提出日】平成23年5月11日(2011.5.11)
【手続補正１】
【補正対象書類名】特許請求の範囲
【補正対象項目名】全文
【補正方法】変更
【補正の内容】
【特許請求の範囲】
【請求項１】
ユーザインターフェースがユーザからアプリケーションのアンインストールの指示を受け取った場合に、当該アプリケーションをアンインストールするアンインストール手段と、
前記アンインストール手段でアプリケーションがアンインストールされる際に、当該アプリケーションと関連付けられた代替アプリケーションを起動する起動手段と、
前記ユーザインターフェースがユーザからアプリケーションのアンインストールの指示を受け取る前に、前記アプリケーションと前記代替アプリケーションとを関連付ける関連付け手段と
を有することを特徴とするアプリケーションプラットフォーム。
【請求項２】
アプリケーションをインストールするインストール手段をさらに有し、
前記関連付け手段による前記アプリケーションと前記代替アプリケーションとの関連付けを、前記インストール手段による前記アプリケーションのインストール時に行うことを特徴とする請求項１に記載のアプリケーションプラットフォーム。
【請求項３】
前記代替アプリケーションは、前記関連付け手段によって当該代替アプリケーションと関連付けられるアプリケーションが管理している情報を管理するためのアプリケーションであることを特徴とする請求項１又は２に記載のアプリケーションプラットフォーム。
【請求項４】
情報を記憶する記憶手段をさらに備え、
前記アンインストール手段でアンインストールされるアプリケーションの管理している情報が、前記アンインストール手段でアンインストールされた後も前記記憶手段に存在するかどうかを判定する判定手段を備え、
前記起動手段は、前記判定手段で前記情報が存在すると判定された場合に前記代替アプリケーションを起動させ、前記判定手段で前記情報が存在しないと判定された場合には、前記代替アプリケーションを起動させないことを特徴とする請求項３に記載のアプリケーションプラットフォーム。
【請求項５】
前記アンインストール手段でアンインストールされたアプリケーションが管理していた情報が前記記憶手段から存在しなくなると、前記代替アプリケーションをアンインストールすることを特徴とする請求項３又は４に記載のアプリケーションプラットフォーム。
【請求項６】
アプリケーションを選択するためのメニュー画面を表示するように制御する表示制御手段をさらに有し、
前記表示制御手段は、前記代替アプリケーションを選択する場合の識別表示を、当該代替アプリケーションと関連付けられたアプリケーションの識別表示がアンインストールされる前に表示されていたメニュー画面に表示するように制御することを特徴とする請求項３乃至５に記載のアプリケーションプラットフォーム。
【請求項７】
前記表示制御手段によって前記代替アプリケーションを選択する場合の識別表示を、当該代替アプリケーションと関連付けられたアプリケーションの識別表示がアンインストールされる前に表示されていたメニュー画面に表示する場合において、
前記代替アプリケーションを選択する場合の識別表示の表示位置は、当該代替アプリケーションと関連付けられたアプリケーションの識別表示がアンインストールされる前に表示されていた表示位置と同じであることを特徴とする請求項６に記載のアプリケーションプラットフォーム。
【請求項８】
前記アンインストール手段でアプリケーションがアンインストールされる際に前記代替アプリケーションがインストールされていない場合に、前記代替アプリケーションを外部装置から取得することを特徴とする請求項１乃至７のいずれか１項に記載のアプリケーションプラットフォーム。
【請求項９】
ユーザインターフェースがユーザからアプリケーションのアンインストールの指示を受け取った場合に、当該アプリケーションをアンインストールするアンインストールステップと、
前記アンインストールステップでアプリケーションがアンインストールされる際に、当該アプリケーションと関連付けられた代替アプリケーションを起動する起動ステップと、
前記ユーザインターフェースがユーザからアプリケーションのアンインストールの指示を受け取る前に、前記アプリケーションと前記代替アプリケーションとを関連付ける関連付けステップと
を有することを特徴とするアプリケーション管理方法。
【請求項１０】
アプリケーションをインストールするインストールステップをさらに有し、
前記関連付けステップによる前記アプリケーションと前記代替アプリケーションとの関連付けを、前記インストールステップによる前記アプリケーションのインストール時に行うことを特徴とする請求項９に記載のアプリケーション管理方法。
【請求項１１】
前記代替アプリケーションは、前記関連付けステップによって当該代替アプリケーションと関連付けられるアプリケーションが管理している情報を管理するためのアプリケーションであることを特徴とする請求項９又は１０に記載のアプリケーション管理方法。
【請求項１２】
情報を記憶する記憶ステップをさらに備え、
前記アンインストールステップでアンインストールされるアプリケーションの管理している情報が、前記アンインストールステップでアンインストールされた後も記憶されているかどうかを判定する判定ステップを備え、
前記起動ステップは、前記判定ステップで前記情報が記憶されていると判定された場合に前記代替アプリケーションを起動させ、前記判定ステップで前記情報が記憶されていないと判定された場合には、前記代替アプリケーションを起動させないことを特徴とする請求項１１に記載のアプリケーション管理方法。
【請求項１３】
前記アンインストールステップでアンインストールされたアプリケーションが管理していた情報が存在しなくなると、前記代替アプリケーションをアンインストールすることを特徴とする請求項１１又は１２に記載のアプリケーション管理方法。
【請求項１４】
アプリケーションを選択するためのメニュー画面を表示するように制御する表示制御ステップをさらに有し、
前記表示制御ステップは、前記代替アプリケーションを選択する場合の識別表示を、当該代替アプリケーションと関連付けられたアプリケーションの識別表示がアンインストールされる前に表示されていたメニュー画面に表示するように制御することを特徴とする請求項１１乃至１３に記載のアプリケーション管理方法。
【請求項１５】
前記表示制御ステップによって前記代替アプリケーションを選択する場合の識別表示を、当該代替アプリケーションと関連付けられたアプリケーションの識別表示がアンインストールされる前に表示されていたメニュー画面に表示する場合において、
前記代替アプリケーションを選択する場合の識別表示の表示位置は、当該代替アプリケーションと関連付けられたアプリケーションの識別表示がアンインストールされる前に表示されていた表示位置と同じであることを特徴とする請求項１４に記載のアプリケーション管理方法。
【請求項１６】
前記アンインストールステップでアプリケーションがアンインストールされる際に前記代替アプリケーションがインストールされていない場合に、前記代替アプリケーションを外部装置から取得するステップを備えることを特徴とする請求項９乃至１５のいずれか１項に記載のアプリケーション管理方法。
【請求項１７】
コンピュータに、請求項９乃至１６のいずれか１項に記載の方法を実行させるためのプログラム。
【請求項１８】
コンピュータに、請求項９乃至１６のいずれか１項に記載の方法を実行させるためのプログラムを格納した、コンピュータが読み取り可能な記録媒体。
【手続補正２】
【補正対象書類名】明細書
【補正対象項目名】０１３７
【補正方法】変更
【補正の内容】
【０１３７】
このように、本実施例によれば、アプリケーションをアンインストールする時に、それに先立ってなされた関連付けの設定に従って代替アプリケーションを外部装置から取得する。そしてこれをインストールし、関連付けられたアプリケーションのアンインストール後にこれを起動することができる。これにより、アプリケーションを使用している間は代替アプリケーションを第２の記憶部１２３を有効に利用できる。